(57)【特許請求の範囲】
【請求項１】
電気的パラメータの測定処理を実行する測定部と、前記測定処理の結果を示す測定結果表示を外部装置の外部装置側表示部に表示させるための表示用データを生成して当該外部装置に出力する測定装置側制御部とを備えた測定装置であって、
前記測定装置側制御部は、１つ以上の表示要素からなる図柄、１つ以上の表示要素からなる記号、および１つ以上の表示要素からなる文字のうちの少なくとも１つで構成されて当該測定装置の動作状態を示す動作状態表示を前記測定結果表示と共に前記外部装置側表示部に表示させる際に、当該動作状態に対応して表示させる当該表示要素および当該動作状態に対応して非表示とする当該表示要素を示した前記表示用データを生成して前記外部装置に出力する測定装置。
【請求項２】
７セグメント表示方式の文字を含んで構成される前記測定結果表示と共に前記動作状態表示を表示する測定装置側表示部を備え、
前記測定装置側制御部は、前記７セグメント表示方式の文字における各セグメントを前記測定結果表示を構成する文字の表示要素として、前記測定処理の結果に対応して表示させる当該表示要素および当該測定処理の結果に対応して非表示とする当該表示要素を、前記動作状態に対応して表示させる前記表示要素および当該動作状態に対応して非表示とする前記表示要素と共に示した前記表示用データを生成し、生成した当該表示用データに基づいて前記測定結果表示および前記動作状態表示を前記測定装置側表示部に表示させると共に、前記生成した表示用データを前記外部装置に出力することで当該測定結果表示および当該動作状態表示を前記外部装置側表示部に表示させる請求項１記載の測定装置。
【請求項３】
携帯端末側表示部および携帯端末側制御部を備えると共に、測定装置から出力された表示用データに基づいて当該測定装置による測定処理の結果を示す測定結果表示と共に当該測定装置の動作状態を示す動作状態表示を前記携帯端末側表示部に表示させる処理を前記携帯端末側制御部に実行させる測定システム用プログラムがインストールされた携帯端末装置であって、
前記携帯端末側制御部は、１つ以上の表示要素からなる図柄、１つ以上の表示要素からなる記号、および１つ以上の表示要素からなる文字のうちの少なくとも１つで構成された前記動作状態表示を前記測定結果表示と共に前記携帯端末側表示部に表示させる際に、前記測定システム用プログラムに従い、当該動作状態に対応して表示させる当該表示要素および当該動作状態に対応して非表示とする当該表示要素が示された前記表示用データに基づき、表示させるように示されている当該表示要素を表示させると共に非表示とするように示されている当該表示要素を非表示とすることで当該動作状態表示を当該携帯端末側表示部に表示させる携帯端末装置。
【請求項４】
前記携帯端末側表示部は、７セグメント表示方式の文字を含んで構成される前記測定結果表示と共に前記動作状態表示を表示し、
前記携帯端末側制御部は、前記７セグメント表示方式の文字における各セグメントを前記測定結果表示を構成する文字の表示要素として、前記測定システム用プログラムに従い、前記測定処理の結果に対応して表示させる当該表示要素および当該測定処理の結果に対応して非表示とする当該表示要素が、前記動作状態に対応して表示させる前記表示要素および当該動作状態に対応して非表示とする前記表示要素と共に示された前記表示用データに基づき、表示させるように示されている当該表示要素を表示させると共に非表示とするように示されている当該表示要素を非表示とすることで当該測定結果表示および当該動作状態表示を当該携帯端末側表示部に表示させる請求項３記載の携帯端末装置。
【請求項５】
請求項１または２記載の測定装置と、前記外部装置としての請求項３または４記載の携帯端末装置とを備えて構成されている測定システム。
【請求項６】
測定装置から出力された表示用データに基づき、当該測定装置による測定処理の結果を示す測定結果表示と共に当該測定装置の動作状態を示す動作状態表示を外部装置の外部装置側表示部に表示させる処理を当該外部装置の外部装置側制御部に実行させる測定システム用プログラムであって、
１つ以上の表示要素からなる図柄、１つ以上の表示要素からなる記号、および１つ以上の表示要素からなる文字の少なくとも１つで構成された前記動作状態表示を前記測定結果表示と共に前記外部装置側表示部に表示させる際に、当該動作状態に対応して表示させる当該表示要素および当該動作状態に対応して非表示とする当該表示要素が示された前記表示用データに基づき、表示させるように示されている当該表示要素を表示させると共に非表示とするように示されている当該表示要素を非表示とすることで当該動作状態表示を当該外部装置側表示部に表示させる処理を前記外部装置側制御部に実行させる測定システム用プログラム。
【請求項７】
７セグメント表示方式の文字における各セグメントを前記測定結果表示を構成する文字の表示要素として、前記測定処理の結果に対応して表示させる当該表示要素および当該測定処理の結果に対応して非表示とする当該表示要素が、前記動作状態に対応して表示させる前記表示要素および当該動作状態に対応して非表示とする前記表示要素と共に示された前記表示用データに基づき、表示させるように示されている当該表示要素を表示させると共に非表示とするように示されている当該表示要素を非表示とすることで当該測定結果表示および当該動作状態表示を前記外部装置側表示部に表示させる処理を前記外部装置側制御部に実行させる請求項６記載の測定システム用プログラム。
【発明の詳細な説明】
【技術分野】
【０００１】
本発明は、測定装置の動作状態を示す動作状態表示を測定結果表示と共に携帯端末装置等の外部装置に表示させる測定装置、測定装置から送信された表示用データに基づいて測定結果表示や動作状態表示を表示する携帯端末装置、およびそのような測定装置と携帯端末装置とを備えて構成された測定システム、並びに測定結果表示や動作状態表示を携帯端末装置等の外部装置に表示させるための測定システム用プログラムに関するものである。
【背景技術】
【０００２】
例えば、特開２０１１−１７６５３０号公報には、携帯電話を使用してＯＴＤＲ（光パルス試験機）を遠隔操作可能に構成された遠隔操作システムが開示されている。この遠隔操作システムの使用に際しては、まず、ＯＴＤＲおよび携帯電話を相互に無線接続させる。この際には、携帯電話からＯＴＤＲに初期化指令が送信されてＯＴＤＲが初期化される。次いで、携帯電話を操作して測定条件のデータおよび測定開始指令をＯＴＤＲに送信する。これに応じて、ＯＴＤＲでは、送信された測定条件に従って測定処理が実行される。また、ＯＴＤＲは、その時点におけるＯＴＤＲの状態を示す状態情報を携帯電話に送信する。この際に、携帯電話では、送信された状態情報に基づき、例えば「Measuring Now ・・・」とのメッセージ（ＯＴＤＲの動作状態を示す動作状態表示）が表示部に表示される。
【０００３】
また、携帯電話では、測定データ要求部が、ＯＴＤＲから送信される状態情報に基づいてＯＴＤＲによる測定処理が終了したか否かを判別し、終了したときには、波形データの送信を要求するデータ要求を送信する。これに応じて、ＯＴＤＲから携帯電話に波形データが送信されて、送信された波形データに基づく波形が携帯電話の表示部に表示される。また、上記の公開公報には、ＯＴＤＲによる測定処理の結果を携帯電話の表示部にリアルタイム表示させる例も開示されている。具体的には、この例では、携帯電話が、ＯＴＤＲに測定開始指令を送信した後に、データ要求を送信する処理と、ＯＴＤＲから送信された波形データに基づく波形の表示処理とを一定時間間隔で交互に実行する。これにより、携帯電話の表示部に表示されている測定結果が一定時間間隔で更新される。
【先行技術文献】
【特許文献】
【０００４】
【特許文献１】特開２０１１−１７６５３０号公報（第６−９頁、第１−１２図）
【発明の概要】
【発明が解決しようとする課題】
【０００５】
ところが、従来の遠隔操作システムの構成には、以下の問題点が存在する。すなわち、従来の遠隔操作システムでは、ＯＴＤＲから携帯電話に状態情報を送信することによって、状態情報に対応する動作状態表示を携帯電話の表示部に表示させる構成が採用されている。この場合、この種のシステムでは、測定装置（上記のシステムにおけるＯＴＤＲ）の動作状態を示す状態コードを上記の状態情報として外部装置（例えば、携帯端末装置：上記のシステムにおける携帯電話）に送信する構成が一般的に採用されている。したがって、前述した「Measuring Now ・・・」とのメッセージを外部装置の表示部に表示させるには、「測定処理中」との動作状態に対応付けた状態コードが測定装置から外部装置に送信されることとなる。
【０００６】
また、この種のシステムにおいて、外部装置の表示部に表示させた情報に基づいて測定装置の動作状態を利用者に詳細に把握させるには、上記の例示のようなメッセージだけでなく、測定装置のバッテリ残量を示す図柄や、実行中の測定処理の内容を示す図柄または記号や文字などの各種の表示を動作状態表示として外部装置の表示部に表示させる必要がある。このため、この種のシステムでは、「測定処理中」との動作状態に対応付けた状態コードの他に、各バッテリ残量や実行中の測定処理の種類に対応付けた各種の状態コードを測定装置から外部装置に送信することとなる。したがって、この種のシステムでは、状態コードの種類が多数となることに起因して、各状態コードを識別可能とするために、そのデータ長をある程度長くせざるを得ないため、測定装置の動作状態を外部装置に表示させるために測定装置から外部装置に送信するデータ（状態コード）のデータサイズが大きくなっているという現状がある。
【０００７】
一方、例えば波形データ等の測定結果データに基づく測定結果表示（波形）を外部装置の表示部にリアルタイム表示させるには、測定装置から外部装置に測定結果データを途切れなく送信する必要が生じる。このため、従来の遠隔操作システムの構成を採用したシステムには、測定結果表示をリアルタイム表示させているときに、測定装置から外部装置に大きなサイズの状態コードを大量に送信するのが困難となり、これに起因して、測定装置の動作状態を示す動作状態表示を外部装置の表示部に正確に表示させるのが困難となることがあるという問題点が存在する。
【０００８】
また、状態コードのような状態情報に基づいて測定装置の動作状態を示す動作状態表示を表示部に表示させる構成では、外部装置（携帯端末装置等）において、送信された状態コードに基づいて測定装置の動作状態を特定し、特定した結果に基づいて予め規定された図柄や記号および文字等を表示部に表示させる処理を実行する必要がある。したがって、従来の遠隔操作システムの構成を採用したシステムでは、外部装置の制御部にかかる負担が大きく、これに起因して、測定結果表示や動作状態表示をスムーズに表示させるのが困難となることがあるという問題点も存在する。
【０００９】
本発明は、かかる問題点に鑑みてなされたものであり、測定装置の動作状態を示す動作状態表示を外部装置側表示部に表示させるための表示用データのデータサイズを十分に小さくすると共に、外部装置側制御部にかかる負担を十分に軽減し得る測定装置、携帯端末装置、測定システムおよび測定システム用プログラムを提供することを主目的とする。
【課題を解決するための手段】
【００１０】
上記目的を達成すべく請求項１記載の測定装置は、電気的パラメータの測定処理を実行する測定部と、前記測定処理の結果を示す測定結果表示を外部装置の外部装置側表示部に表示させるための表示用データを生成して当該外部装置に出力する測定装置側制御部とを備えた測定装置であって、前記測定装置側制御部は、１つ以上の表示要素からなる図柄、１つ以上の表示要素からなる記号、および１つ以上の表示要素からなる文字のうちの少なくとも１つで構成されて当該測定装置の動作状態を示す動作状態表示を前記測定結果表示と共に前記外部装置側表示部に表示させる際に、当該動作状態に対応して表示させる当該表示要素および当該動作状態に対応して非表示とする当該表示要素を示した前記表示用データを生成して前記外部装置に出力する。
【００１１】
また、請求項２記載の測定装置は、請求項１記載の測定装置において、７セグメント表示方式の文字を含んで構成される前記測定結果表示と共に前記動作状態表示を表示する測定装置側表示部を備え、前記測定装置側制御部は、前記７セグメント表示方式の文字における各セグメントを前記測定結果表示を構成する文字の表示要素として、前記測定処理の結果に対応して表示させる当該表示要素および当該測定処理の結果に対応して非表示とする当該表示要素を、前記動作状態に対応して表示させる前記表示要素および当該動作状態に対応して非表示とする前記表示要素と共に示した前記表示用データを生成し、生成した当該表示用データに基づいて前記測定結果表示および前記動作状態表示を前記測定装置側表示部に表示させると共に、前記生成した表示用データを前記外部装置に出力することで当該測定結果表示および当該動作状態表示を前記外部装置側表示部に表示させる。
【００１２】
また、請求項３記載の携帯端末装置は、携帯端末側表示部および携帯端末側制御部を備えると共に、測定装置から出力された表示用データに基づいて当該測定装置による測定処理の結果を示す測定結果表示と共に当該測定装置の動作状態を示す動作状態表示を前記携帯端末側表示部に表示させる処理を前記携帯端末側制御部に実行させる測定システム用プログラムがインストールされた携帯端末装置であって、前記携帯端末側制御部は、１つ以上の表示要素からなる図柄、１つ以上の表示要素からなる記号、および１つ以上の表示要素からなる文字のうちの少なくとも１つで構成された前記動作状態表示を前記測定結果表示と共に前記携帯端末側表示部に表示させる際に、前記測定システム用プログラムに従い、当該動作状態に対応して表示させる当該表示要素および当該動作状態に対応して非表示とする当該表示要素が示された前記表示用データに基づき、表示させるように示されている当該表示要素を表示させると共に非表示とするように示されている当該表示要素を非表示とすることで当該動作状態表示を当該携帯端末側表示部に表示させる。
【００１３】
さらに、請求項４記載の携帯端末装置は、請求項３記載の携帯端末装置において、前記携帯端末側表示部は、７セグメント表示方式の文字を含んで構成される前記測定結果表示と共に前記動作状態表示を表示し、前記携帯端末側制御部は、前記７セグメント表示方式の文字における各セグメントを前記測定結果表示を構成する文字の表示要素として、前記測定システム用プログラムに従い、前記測定処理の結果に対応して表示させる当該表示要素および当該測定処理の結果に対応して非表示とする当該表示要素が、前記動作状態に対応して表示させる前記表示要素および当該動作状態に対応して非表示とする前記表示要素と共に示された前記表示用データに基づき、表示させるように示されている当該表示要素を表示させると共に非表示とするように示されている当該表示要素を非表示とすることで当該測定結果表示および当該動作状態表示を当該携帯端末側表示部に表示させる。
【００１４】
また、請求項５記載の測定システムは、請求項１または２記載の測定装置と、前記外部装置としての請求項３または４記載の携帯端末装置とを備えて構成されている。
【００１５】
また、請求項６記載の測定システム用プログラムは、測定装置から出力された表示用データに基づき、当該測定装置による測定処理の結果を示す測定結果表示と共に当該測定装置の動作状態を示す動作状態表示を外部装置の外部装置側表示部に表示させる処理を当該外部装置の外部装置側制御部に実行させる測定システム用プログラムであって、１つ以上の表示要素からなる図柄、１つ以上の表示要素からなる記号、および１つ以上の表示要素からなる文字の少なくとも１つで構成された前記動作状態表示を前記測定結果表示と共に前記外部装置側表示部に表示させる際に、当該動作状態に対応して表示させる当該表示要素および当該動作状態に対応して非表示とする当該表示要素が示された前記表示用データに基づき、表示させるように示されている当該表示要素を表示させると共に非表示とするように示されている当該表示要素を非表示とすることで当該動作状態表示を当該外部装置側表示部に表示させる処理を前記外部装置側制御部に実行させる。
【００１６】
さらに、請求項７記載の測定システム用プログラムは、請求項６記載の測定システム用プログラムにおいて、７セグメント表示方式の文字における各セグメントを前記測定結果表示を構成する文字の表示要素として、前記測定処理の結果に対応して表示させる当該表示要素および当該測定処理の結果に対応して非表示とする当該表示要素が、前記動作状態に対応して表示させる前記表示要素および当該動作状態に対応して非表示とする前記表示要素と共に示された前記表示用データに基づき、表示させるように示されている当該表示要素を表示させると共に非表示とするように示されている当該表示要素を非表示とすることで当該測定結果表示および当該動作状態表示を前記外部装置側表示部に表示させる処理を前記外部装置側制御部に実行させる。
【発明の効果】
【００１７】
請求項１記載の測定装置では、測定装置側制御部が、図柄、記号および文字の少なくとも１つで構成される動作状態表示を測定結果表示と共に外部装置側表示部に表示させる際に、複数の表示要素のうちから動作状態に対応する表示要素を特定可能な表示用データ（動作状態に対応して表示させる表示要素および動作状態に対応して非表示とする表示要素を示した表示用データ）を生成して出力する。また、請求項３記載の携帯端末装置では、携帯端末側制御部が、図柄、記号および文字の少なくとも１つを構成する複数の表示要素のうちから動作状態に対応する表示要素を特定可能な表示用データ（動作状態に対応して表示させる表示要素および動作状態に対応して非表示とする表示要素を示した表示用データ）が測定装置から出力されたときに、測定システム用プログラムに従い、表示用データによって特定される表示要素（表示するように示されている表示要素）を携帯端末側表示部に表示させる。また、請求項５記載の測定システムでは、上記の測定装置と、外部装置としての携帯端末装置とを備えて構成されている。また、請求項６記載の測定システム用プログラムでは、図柄、記号および文字の少なくとも１つを構成する複数の表示要素のうちから動作状態に対応する表示要素を特定可能な表示用データ（動作状態に対応して表示させる表示要素および動作状態に対応して非表示とする表示要素を示した表示用データ）が測定装置から出力されたときに、表示用データによって特定される表示要素（表示するように示されている表示要素）を携帯端末側表示部に表示させる処理を外部装置側制御部に実行させる。
【００１８】
したがって、請求項１記載の測定装置、請求項３記載の携帯端末装置、請求項５記載の測定システム、および請求項６記載の測定システム用プログラムによれば、測定装置の動作状態を示す状態コードを測定装置から出力することで携帯端末側表示部に動作状態表示を表示させる構成とは異なり、複数の表示要素のうちのいずれを表示させるかを特定可能な（表示すべき表示要素および非表示とすべき表示要素が示された）非常に小さなデータサイズの表示用データを測定装置から外部装置（携帯端末装置）に出力するだけで、外部装置側表示部（携帯端末側表示部）に測定装置の動作状態を示す動作状態表示を表示させることができる。このため、測定装置から外部装置（携帯端末装置）に測定結果表示を表示させるための表示用データを順次出力している状態において、動作状態表示を表示させるための表示用データを測定装置から外部装置（携帯端末装置）に確実に出力することができる結果、測定装置の動作状態を外部装置側表示部（携帯端末側表示部）に確実に表示させることができる。また、外部装置（携帯端末装置）においては、各表示要素のうちのいずれの表示要素を表示させればよいかを表示用データに基づいて短時間で容易に特定することができるため、動作状態表示等の表示に際して外部装置側制御部（携帯端末側制御部）に加わる負担を十分に軽減することができる。
【００１９】
また、請求項２記載の測定装置では、測定装置側制御部が、７セグメント表示方式の文字における各セグメントを測定結果表示を構成する文字の表示要素として、複数の表示要素のうちから測定処理の結果に対応する表示要素を特定可能な表示用データ（測定処理の結果に対応して表示させる表示要素および測定処理の結果に対応して非表示とする表示要素を特定可能な表示用データ）を生成し、生成した表示用データに対応する測定結果表示および動作状態表示を測定装置側表示部に表示させると共に、生成した表示用データを外部装置に出力する。また、請求項４記載の携帯端末装置では、携帯端末側制御部が、７セグメント表示方式の文字における各セグメントを測定結果表示を構成する文字の表示要素として、複数の表示要素のうちから測定処理の結果に対応する表示要素を特定可能な表示用データ（測定処理の結果に対応して表示させる表示要素および測定処理の結果に対応して非表示とする表示要素を特定可能な表示用データ）が測定装置から出力されたときに、測定システム用プログラムに従い、表示用データによって特定される表示要素（表示するように示されている表示要素）を携帯端末側表示部に表示させる。また、請求項７記載の測定システム用プログラムでは、７セグメント表示方式の文字における各セグメントを測定結果表示を構成する文字の表示要素として、複数の表示要素のうちから測定処理の結果に対応する表示要素を特定可能な表示用データ（測定処理の結果に対応して表示させる表示要素および測定処理の結果に対応して非表示とする表示要素を特定可能な表示用データ）が測定装置から出力されたときに、表示用データによって特定される表示要素（表示するように示されている表示要素）を携帯端末側表示部に表示させる処理を外部装置側制御部に実行させる。
【００２０】
したがって、請求項２記載の測定装置、請求項４記載の携帯端末装置、および請求項７記載の測定システム用プログラムによれば、測定装置側表示部に測定結果表示および動作状態表示を表示させるために生成した表示用データをそのまま利用して外部装置（携帯端末装置）に出力することで外部装置側表示部（携帯端末側表示部）に測定結果表示および動作状態表示を表示させることができる。このため、測定装置側表示部に測定結果表示や動作状態表示を表示させるための表示用データとは別個に、外部装置側表示部（携帯端末側表示部）に測定結果表示や動作状態表示を表示させるための表示用データを生成する構成と比較して、外部装置側表示部（携帯端末側表示部）に測定結果表示および動作状態表示を表示させる際に測定装置側制御部に加わる負担を十分に軽減することができる。
【図面の簡単な説明】
【００２１】
【図１】測定システム１００の構成を示すブロック図である。
【図２】測定システム１００における測定装置１およびスマートフォン２の外観図である。
【図３】測定装置１の表示部１３に表示される測定処理用画面３０ａ、およびスマートフォン２の表示部２３に表示される測定処理用画面３０ｂにおけるモニタ表示部３１の一例を示す表示画面図である。
【図４】測定処理用画面３０ａおよびモニタ表示部３１の他の一例を示す表示画面図である。
【図５】図４に示す例の測定処理用画面３０ａおよびモニタ表示部３１を表示させるための表示用データＤ１について説明するための説明図である。
【図６】測定処理用画面３０ａおよびモニタ表示部３１のさらに他の一例を示す表示画面図である。
【図７】図６に示す例の測定処理用画面３０ａおよびモニタ表示部３１を表示させるための表示用データＤ１について説明するための説明図である。
【図８】測定処理用画面３０ａおよびモニタ表示部３１のさらに他の一例を示す表示画面図である。
【図９】図８に示す例の測定処理用画面３０ａおよびモニタ表示部３１を表示させるための表示用データＤ１について説明するための説明図である。
【発明を実施するための形態】
【００２２】
以下、測定装置、携帯端末装置、測定システムおよび測定システム用プログラムの実施の形態について、添付図面を参照して説明する。
【００２３】
図１，２に示す測定システム１００は、測定装置１およびスマートフォン２を備えて構成されている。この場合、「スマートフォン」は、広義には、ＰＤＡ（携帯情報端末）の機能が備わった携帯電話を意味するが、本明細書では、この広義の「スマートフォン」のうちの「各種プログラムのインストールによって、任意の機能を付加したり、端末の操作環境や表示環境等をカスタマイズしたりすることができるもの」を「スマートフォン」という。また、上記のスマートフォン２は、「外部装置」としての「携帯端末装置」の一例であって、後述するように、この測定システム１００専用の測定システム用プログラムＤｐがインストールされた既存の「スマートフォン」で構成されている。
【００２４】
測定装置１は、「測定装置」の一例であるクランプ式抵抗測定装置であって、図１に示すように、測定部１１、操作部１２、表示部１３、無線通信部１４、有線通信部１５、制御部１６およびメモリ１７を備えて構成されている。測定部１１は、制御部１６の制御に従い、クランプセンサ部１１ａ（図２参照）によってクランプした図示しない測定対象体の接地抵抗値（「電気的パラメータ」の一例）を測定する測定処理を実行して、その測定値を制御部１６に出力する。操作部１２は、測定装置１の動作条件（測定条件）を設定操作するための複数の操作スイッチを備え、スイッチ操作に応じた操作信号を制御部１６に出力する。表示部１３は、「測定装置側表示部」の一例であって、制御部１６の制御に従って後述する測定処理用画面３０ａ（図２参照）を表示する。
【００２５】
この場合、本例の測定装置１では、一例として、測定部１１の測定結果を示す「測定結果表示」や、測定装置１の動作状態を示す「動作状態表示」を表示可能な複数のセグメントを有する液晶表示器で表示部１３が構成されている。具体的には、図３に示すように、表示部１３は、セグメントＳ１ａ〜Ｓ１ｇ，Ｓ２ａ〜Ｓ２ｇ，Ｓ３ａ〜Ｓ３ｇ，Ｓ４ａ〜Ｓ４ｇ，Ｓ５ａ〜Ｓ５ｇ，Ｓ６ａ〜Ｓ６ｇ，Ｓｄｐ２〜Ｓｄｐ４，ＳＯＨＭ，ＳＡ，Ｓｍ，ＳＦＩＬＴ，ＳＨＯＬＤ，ＳＢ０〜ＳＢ３（「表示要素」の一例：以下、これらを区別しないときには「セグメントＳ」ともいう）で構成される文字や記号および図柄によって「測定結果表示」や「動作状態表示」を表示させることができるように構成されている。なお、同図、および後に参照する図４，６，８では、図面の視認性を向上させるために、セグメントＳ２ａ〜Ｓ２ｇ，Ｓ３ａ〜Ｓ３ｇ，Ｓ５ａ〜Ｓ５ｇ，Ｓ６ａ〜Ｓ６ｇに関し、セグメントＳ２ｘ、Ｓ３ｘ，Ｓ５ｘ，Ｓ６ｘと表している。
【００２６】
セグメントＳ１ａ〜Ｓ１ｇ，Ｓ２ａ〜Ｓ２ｇ，Ｓ３ａ〜Ｓ３ｇ，Ｓ４ａ〜Ｓ４ｇは、７セグメント表示方式の文字を構成する「表示要素」であって、測定結果における整数部分および小数部分の４つの数を示す際に任意のセグメントＳが選択されて表示される。セグメントＳ５ａ〜Ｓ５ｇ，Ｓ６ａ〜Ｓ６ｇは、７セグメント表示方式の文字を構成する「表示要素」であって、複数台の測定装置１を所有する利用者が、いずれの測定装置１を使用しているかを把握するために各測定装置１に付与する装置番号を表す１桁または２桁の数を示す際に任意のセグメントＳが選択されて表示される。セグメントＳｄｐ２〜Ｓｄｐ４は、測定結果における小数点を示す際に任意のセグメントＳが選択されて表示される。セグメントＳＯＨＭ，ＳＡ，Ｓｍは、測定結果の単位を示す際に任意のセグメントＳが選択されて表示される。セグメントＳＦＩＬＴは、測定部１１による測定処理に際してフィルタ処理が実行されている旨を示す際に選択されて表示される。セグメントＳＨＯＬＤは、操作部１２のＨＯＬＤスイッチが操作されている旨を示す際に選択されて表示される。セグメントＳＢ０〜ＳＢ３は、測定装置１のバッテリ残量を示す際に任意のセグメントＳが選択されて表示される。
【００２７】
なお、この例では、セグメントＳ１ａ〜Ｓ１ｇ，Ｓ２ａ〜Ｓ２ｇ，Ｓ３ａ〜Ｓ３ｇ，Ｓ４ａ〜Ｓ４ｇが「測定結果表示を構成する文字の表示要素」に相当し、セグメントＳｄｐ２〜Ｓｄｐ４およびセグメントＳＯＨＭ，ＳＡ，Ｓｍが「測定結果表示を構成する図柄および記号の表示要素」に相当する。また、この例では、セグメントＳ５ａ〜Ｓ５ｇ，Ｓ６ａ〜Ｓ６ｇが「動作状態表示を構成する文字の表示要素」に相当し、セグメントＳＦＩＬＴ，ＳＨＯＬＤ，ＳＢ０〜ＳＢ３が「動作状態表示を構成する図柄および記号の表示要素」に相当する。この場合、本例の測定装置１では、後述するように、測定装置１の表示部１３に上記の各セグメントＳによって示される測定処理用画面３０ａと同じレイアウトで、この測定処理用画面３０ａと同じ情報を示すモニタ表示部３１（図２参照）がスマートフォン２に表示される構成が採用されている。
【００２８】
無線通信部１４は、一例として、ブルートゥース（Bluetooth ：登録商標）規格に準じた近距離無線通信を実行可能に構成されて、後述するようにスマートフォン２との間でペアリングされた状態において、スマートフォン２から送信された制御データＤ０などを受信して制御部１６に出力すると共に、制御部１６の制御に従って表示用データＤ１などをスマートフォン２に送信する。有線通信部１５は、一例として、ＵＳＢ規格に準じた接続コネクタ（図示せず）を備えて、この接続コネクタに接続される信号ケーブルＣ（図１参照）を介してスマートフォン２と接続可能に構成されている。また、有線通信部１５は、信号ケーブルＣを介してスマートフォン２と接続された状態において、スマートフォン２から送信された制御データＤ０などを受信して制御部１６に出力すると共に、制御部１６の制御に従って表示用データＤ１などをスマートフォン２に送信する。
【００２９】
制御部１６は、「測定装置側制御部」の一例であって、測定装置１を総括的に制御する。具体的には、制御部１６は、操作部１２のスイッチ操作によって設定された測定条件、または、後述するようにスマートフォン２から送信される制御データＤ０に従って測定部１１を制御して接地抵抗値の測定処理を実行させる。また、制御部１６は、スマートフォン２に測定処理用画面３０ｂ（モニタ表示部３１）を表示させるための表示用データＤ１を生成して、無線通信部１４または有線通信部１５からスマートフォン２に送信させる。メモリ１７は、制御部１６の動作プログラムや、後述するようにして制御部１６によって生成される表示用データＤ１などを記憶する。
【００３０】
一方、スマートフォン２は、上記したように、測定システム用プログラムＤｐ（「測定システム用プログラム」の一例）がインストールされた既存の「スマートフォン」で構成されている。具体的には、図１に示すように、スマートフォン２は、本体メモリ２１、操作部２２、表示部２３、無線通信部２４、有線通信部２５、制御部２６およびストレージメモリ装着部２７を備えて構成されている。なお、スマートフォン２における「携帯電話としての機能」や「ＰＤＡとしての機能」を実現するための構成要素については公知のため、図示および説明を省略する。本体メモリ２１は、スマートフォン２の動作プログラムを記憶すると共に、測定システム用プログラムＤｐ等の各種プログラム（利用者がインストールしたプログラム）を記憶する。なお、測定システム用プログラムＤｐ等のプログラムの一部については、ストレージメモリ装着部２７に装着されたストレージメモリＭにインストールすることもできる。
【００３１】
操作部２２は、図示しない電源スイッチなどの他に、表示部２３の表面側に配設されたタッチパネルを備えて構成されて、これらの操作に応じた操作信号を制御部２６に出力する。表示部２３は、「外部装置側表示部」としての「携帯端末側表示部」の一例であって、制御部２６の制御に従って各種の表示画面を表示する。この場合、この測定システム１００では、後述するようにスマートフォン２において測定システム用プログラムＤｐが実行されたときに、図２に示すように、測定処理用画面３０ｂが表示部２３に表示される。この測定処理用画面３０ｂは、前述したように測定装置１の表示部１３に表示される測定処理用画面３０ａと同じレイアウトで同じ情報を示すモニタ表示部３１、および操作部２２におけるタッチパネルの操作によって測定装置１による測定処理の測定条件等を変更操作するための操作スイッチ表示部３２で構成されており、測定装置１から送信された表示用データＤ１に基づいて表示される。
【００３２】
無線通信部２４は、測定装置１の無線通信部１４と同様にして、ブルートゥース規格に準じた近距離無線通信を実行可能に構成されて、後述するように、測定装置１との間でペアリングされた状態において、制御部２６の制御に従って測定装置１に制御データＤ０を送信すると共に、測定装置１から送信された表示用データＤ１を受信して制御部２６に出力する。有線通信部２５は、測定装置１の有線通信部１５と同様にして、ＵＳＢ規格に準じた接続コネクタを備えて、この接続コネクタに接続される信号ケーブルＣ（図１参照）を介して測定装置１や図示しない各種の外部装置と接続可能に構成されている。この有線通信部２５は、信号ケーブルＣを介して測定装置１と接続された状態において、制御部２６の制御に従って測定装置１に制御データＤ０を送信すると共に、測定装置１から送信された表示用データＤ１を受信して制御部２６に出力する。
【００３３】
制御部２６は、「外部装置側制御部」としての「携帯端末側制御部」の一例であって、スマートフォン２を総括的に制御する。具体的には、制御部２６は、一例として、操作部２２の操作によって測定システム用プログラムＤｐの実行を指示されたときに、測定処理用画面３０ｂを表示部２３に表示させると共に、無線通信部２４または有線通信部２５を介して受信した表示用データＤ１に基づいて測定処理用画面３０ｂ内にモニタ表示部３１を表示させる。また、制御部２６は、操作部２２の操作によって測定部１１の動作条件（測定条件等）が指示されたときに、測定システム用プログラムＤｐに従い、制御データＤ０を生成して無線通信部２４または有線通信部２５から測定装置１に送信させる。
【００３４】
この測定システム１００の使用に際しては、まず、スマートフォン２に測定システム用プログラムＤｐをインストールする。この測定システム用プログラムＤｐについては、一例として、測定装置１の附属品としてインストール用光ディスクを提供したり、インターネット内の任意のサイトからダウンロードして使用するようにしたりすることができる。なお、測定システム用プログラムＤｐのインストール作業に関しては、「スマートフォンに対する各種プログラムのインストール作業」と同様のため、詳細な説明を省略する。次いで、測定装置１とスマートフォン２との間においてブルートゥースのペアリングを行う。なお、ペアリング作業に関しては、公知の各種ブルートゥース機器のペアリング作業と同様のため、詳細な説明を省略する。これにより、測定システム１００を使用する準備が整う。
【００３５】
一方、測定システム１００を使用して測定対象体についての測定処理を実施するには、一例として、測定装置１の操作部１２を制御して測定処理の条件を設定すると共に、クランプセンサ部１１ａによって測定対象体をクランプする。次いで、操作部１２のスタートスイッチが操作されたときに、制御部１６が、設定された測定条件に従って測定部１１を制御して測定処理を開始させ、測定部１１が、クランプセンサ部１１ａによってクランプされている測定対象体の接地抵抗値を測定して、その測定値を制御部１６に出力する。これに応じて、制御部１６は、測定部１１から出力された測定値に基づいて表示用データを生成して表示部１３に出力する。これにより、図２に示すように、測定対象体についての接地抵抗値が表示部１３の測定処理用画面３０ａに表示される。
【００３６】
続いて、測定装置１による測定処理を継続させた状態において、スマートフォン２の操作部２２を操作して、一例として、無線通信部２４をオン状態にする（通信可能な状態とする）。この際には、前述したペアリング作業によってペアリングされた測定装置１の無線通信部１４とスマートフォン２の無線通信部２４とが相互に通信可能な状態となる。次いで、操作部２２を操作して、測定システム用プログラムＤｐを起動させる。この際に、制御部２６は、測定システム用プログラムＤｐに従い、表示部２３を制御して表示部２３に測定処理用画面３０ｂを表示させると共に、無線通信部２４を制御して測定装置１に対して表示用データＤ１の送信開始を要求する制御データＤ０を送信させる。
【００３７】
また、測定装置１では、無線通信部１４によって制御データＤ０が受信されたときに、制御部１６が、表示部１３に測定処理用画面３０ａを表示させるために生成した表示用データＤ１を無線通信部１４からスマートフォン２に送信させる。具体的には、図４に示すように、一例として、測定部１１の測定結果を示す「１０３．９Ω」との文字で構成された「測定結果表示」と、測定部１１のバッテリ残量を示す電池マーク（「図柄」の一例：この例では、バッテリ残量が十分である旨を示す図柄）、および測定部１１に付与された装置番号を示す「１６」との文字で構成された「動作状態表示」とを表示部１３の測定処理用画面３０ａに表示させる際に、制御部１６は、図５に示すように、表示部１３のセグメントＳ４ｂ，Ｓ４ｃ，Ｓ３ａ〜Ｓ３ｆ，Ｓ２ａ〜Ｓ２ｄ，Ｓ２ｇ，Ｓｄｐ２，Ｓ１ａ〜Ｓ１ｄ，Ｓ１ｆ，Ｓ１ｇ，ＳＯＨＭ，ＳＢ０〜ＳＢ３，Ｓ５ａ，Ｓ５ｃ〜Ｓ５ｇ，Ｓ６ｂ，Ｓ６ｃを表示させるように表示用データＤ１を生成する。なお、図５および後に参照する図７，９では、非表示とするセグメントＳを「×」で表している。
【００３８】
この場合、図５に示すように、本例の測定装置１では、セグメントＳ４ａ〜Ｓ４ｇ，Ｓｄｐ４の表示／非表示を指示する情報、セグメントＳ３ａ〜Ｓ３ｇ，Ｓｄｐ３の表示／非表示を指示する情報、セグメントＳ２ａ〜Ｓ２ｇ，Ｓｄｐ２の表示／非表示を指示する情報、セグメントＳ１ａ〜Ｓ１ｇの表示／非表示を指示する情報、セグメントＳＯＨＭ，ＳＡ，Ｓｍ，ＳＢ３，ＳＢ２，ＳＢ１，ＳＢ０の表示／非表示を指示する情報、セグメントＳ５ａ〜Ｓ５ｇ，ＳＨＯＬＤの表示／非表示を指示する情報、およびセグメントＳ６ａ〜Ｓ６ｇ，ＳＦＩＬＴの表示／非表示を指示する情報を、「１６進数で示される１つの値」からなる符号でそれぞれ示した表示用データＤ１が生成される。
【００３９】
具体的には、例えば、セグメントＳ４ａ〜Ｓ４ｇ，Ｓｄｐ４の表示／非表示を示す情報としては、「１」との文字を表示させるためにセグメントＳ４ｂ，Ｓ４ｃを表示させ、かつセグメントＳ４ａ，Ｓ４ｄ〜Ｓ４ｇを非表示とすると共に、セグメントＳｄｐ４を非表示とするために、「00000110」との２進数コードが生成され、これが１６進数に変換されて「06」との値の符号が生成される。同様にして他のセグメントＳについても１６進数の符号が生成されて、図４に示す測定処理用画面３０ａを表示させるための表示用データＤ１として「06D7AFB78FF506」との符号列が生成される。また、制御部１６は、生成した表示用データＤ１に基づき、図４に示す測定処理用画面３０ａを表示部１３に表示させると共に、その表示用データＤ１を無線通信部１４からスマートフォン２に送信させる。
【００４０】
また、スマートフォン２では、無線通信部２４によって表示用データＤ１が受信されたときに、制御部２６が、表示部２３を制御して、送信された表示用データＤ１に基づく「測定結果表示」および「動作状態表示」を測定処理用画面３０ｂのモニタ表示部３１に表示させる。具体的には、制御部２６は、「06D7AFB78FF506」との表示用データＤ１の１６進数の符号を２進数コードに変換し、例えば、セグメントＳ４ａ〜Ｓ４ｇ，Ｓｄｐ４の表示／非表示に関しては、「00000110」との２進数コードに基づき、セグメントＳ４ｂ，Ｓ４ｃを表示させ、かつセグメントＳ４ａ，Ｓ４ｄ〜Ｓ４ｇを非表示とすると共に、セグメントＳｄｐ４を非表示とするように表示部２３を制御する。これにより、図４に示すように、測定装置１の表示部１３に表示されている測定処理用画面３０ａと同様にして、測定部１１の測定結果を示す「１０３．９Ω」との文字で構成された「測定結果表示」と、測定部１１のバッテリ残量を示す電池マーク、および測定部１１に付与された装置番号を示す「１６」との文字で構成された「動作状態表示」とが測定処理用画面３０ｂのモニタ表示部３１内に表される。
【００４１】
一方、測定装置１において測定値のフィルタ処理が行われ、例えば、「１０４．６Ω」との測定値が測定されている状態において、バッテリ残量がやや減少したときには、図６に示すような測定処理用画面３０ａが表示部１３に表示される。このような測定処理用画面３０ａを表示部１３に表示させる際には、図７に示すように、制御部１６によって「06D73EF587F50E」との表示用データＤ１が生成され、この表示用データＤ１が無線通信部２４からスマートフォン２に送信される。これにより、図６に示すように、測定装置１の表示部１３に表示されている測定処理用画面３０ａと同様にして、測定部１１の測定結果を示す「１０４．６Ω」との文字で構成された「測定結果表示」と、測定部１１のバッテリ残量を示す電池マーク、測定部１１に付与された装置番号を示す「１６」との文字、および「ＦＩＬＴＥＲ」との図柄で構成された「動作状態表示」とがスマートフォン２の表示部２３における測定処理用画面３０ｂ内のモニタ表示部３１に表される。
【００４２】
また、測定装置１において「１０５．７Ω」との測定値が測定されている状態において操作部１２のＨＯＬＤスイッチが操作されて測定結果の表示更新が停止され（表示中の測定値がホールドされ）、かつバッテリ残量がさらに減少したときには、図８に示すような測定処理用画面３０ａが表示部１３に表示される。このような測定処理用画面３０ａを表示部１３に表示させる際には、図９に示すように、制御部１６によって「06D7BD0783FD0E」との表示用データＤ１が生成され、この表示用データＤ１が無線通信部２４からスマートフォン２に送信される。これにより、図８に示すように、測定装置１の表示部１３に表示されている測定処理用画面３０ａと同様にして、測定部１１の測定結果を示す「１０５．７Ω」との文字で構成された「測定結果表示」と、測定部１１のバッテリ残量を示す電池マーク、測定部１１に付与された装置番号を示す「１６」との文字、「ＦＩＬＴＥＲ」との図柄、および「ＨＯＬＤ」との図柄で構成された「動作状態表示」とがスマートフォン２の表示部２３における測定処理用画面３０ｂ内のモニタ表示部３１に表される。
【００４３】
この場合、測定装置の動作状態を示す「動作状態表示」を携帯端末装置の携帯端末側表示部に表示させるために測定装置から携帯端末装置に状態コードを送信する構成においては、図４，６，８に示す例のモニタ表示部３１と同様の「動作状態表示」を表示させるために、バッテリ残量を報知する状態コード、フィルタ処理の実行の有無を報知する状態コード、およびＨＯＬＤスイッチの操作の有無を報知する状態コードの３つのコードを測定装置から携帯端末装置に送信する必要がある。この場合、前述したように、「動作状態表示」の種類が多くなるほど、各状態コードのデータ長が長くなるため、仮に、この３つの状態コードを送信するだけでも、測定装置１からスマートフォン２に送信するデータのデータサイズが大きくなる。
【００４４】
これに対して、本例の測定システム１００では、測定装置１に付与された装置番号を示すセグメントＳ５ａ〜Ｓ５ｇ，Ｓ６ａ〜Ｓ６ｇ、バッテリ残量を示すセグメントＳＢ０〜ＳＢ３、フィルタ処理の実行の有無を示すセグメントＳＦＩＬＴ、およびＨＯＬＤスイッチの操作の有無を示すセグメントＳＨＯＬＤの表示の有無を、「測定結果表示」の一部を構成するセグメントＳＯＨＭ，ＳＡ，Ｓｍの表示の有無と共に「１６進数で表される３つの値」で示した表示用データＤ１を測定装置１からスマートフォン２に送信するだけで、装置番号、バッテリ残量、フィルタ処理の実行の有無、およびＨＯＬＤスイッチの操作の有無を示す「動作状態表示」をモニタ表示部３１内に表示させることが可能となっている。
【００４５】
具体的には、図４に示すように、「測定結果表示」の一部を構成するセグメントＳＡ，Ｓｍを非表示とし、かつセグメントＳＯＨＭを表示させる状態において、装置番号として「１６」が付与されると共に、バッテリ残量が十分で、フィルタ処理が実行されておらず、かつＨＯＬＤスイッチが操作されていないとの動作状態を示す「動作状態表示」をスマートフォン２の表示部２３（モニタ表示部３１）に表示させるには、表示用データＤ１の生成に際して、図５に示すように、セグメントＳＯＨＭ，ＳＢ３，ＳＢ２，ＳＢ１，ＳＢ０，Ｓ５ａ，Ｓ５ｃ〜Ｓ５ｇ，Ｓ６ｂ，Ｓ６ｃを表示させ、かつセグメントＳＡ，Ｓｍ，ＳＨＯＬＤ，ＳＦＩＬＴ，Ｓ５ｂ，Ｓ６ａ，Ｓ６ｄ〜Ｓ６ｇを非表示とするように「10001111」、「11110101」および「00000110」との２進数コードが生成されて「8F」、「F5」および「06」との１６進数にそれぞれ変換され、これらの値を含む表示用データＤ１が測定装置１からスマートフォン２に送信される。したがって、装置番号、バッテリ残量、フィルタ処理の実行の有無、およびＨＯＬＤスイッチの操作の有無を示す「動作状態表示」の表示に必要なデータのデータサイズが非常に小さくなっている。
【００４６】
このように、この測定装置１では、制御部１６が、図柄、記号および文字の少なくとも１つで構成される「動作状態表示」を「測定結果表示」と共に表示部２３に表示させる際に、複数のセグメントＳのうちから動作状態に対応するセグメントＳを特定可能な表示用データＤ１を生成して出力する。また、このスマートフォン２では、制御部２６が、図柄、記号および文字の少なくとも１つを構成する複数のセグメントＳのうちから動作状態に対応するセグメントＳを特定可能な表示用データＤ１が測定装置１から出力されたときに、測定システム用プログラムＤｐに従い、表示用データＤ１によって特定されるセグメントＳを表示部２３に表示させる。また、この測定システム１００では、上記の測定装置１と、「外部装置」としてのスマートフォン２とを備えて構成されている。また、この測定システム用プログラムＤｐでは、図柄、記号および文字の少なくとも１つを構成する複数のセグメントＳのうちから動作状態に対応するセグメントＳを特定可能な表示用データＤ１が測定装置１から出力されたときに、表示用データＤ１によって特定されるセグメントＳを表示部２３に表示させる処理を制御部２６に実行させる。
【００４７】
したがって、この測定装置１、スマートフォン２、測定システム１００および測定システム用プログラムＤｐによれば、測定装置の動作状態を示す状態コードを測定装置から携帯端末装置に送信することで携帯端末側表示部に「動作状態表示」を表示させる構成とは異なり、「動作状態表示」の「表示要素」である複数のセグメントＳのうちのいずれを表示させるかを特定可能な非常に小さなデータサイズの表示用データＤ１を測定装置１からスマートフォン２に送信するだけで、スマートフォン２の表示部２３（測定処理用画面３０ｂにおけるモニタ表示部３１）に測定装置１の動作状態を示す「動作状態表示（この例では、測定装置１に付与された装置番号、バッテリ残量、フィルタ処理の有無、およびＨＯＬＤスイッチの操作の有無）」を表示させることができる。このため、測定装置１からスマートフォン２に「測定結果表示」を表示させるためのデータ（この例では、表示用データＤ１において「動作状態表示」を表示させるための情報を除く情報）を順次送信している状態において、「動作状態表示」を表示させるための表示用データＤ１を測定装置１からスマートフォン２に確実に送信することができる結果、測定装置１の動作状態をスマートフォン２の表示部２３に確実に表示させることができる。また、スマートフォン２においては、各セグメントＳのうちのいずれのセグメントＳを表示させればよいかを表示用データＤ１に基づいて短時間で容易に特定することができるため、測定処理用画面３０ｂ（モニタ表示部３１）の表示に際して制御部２６に加わる負担を十分に軽減することができる。
【００４８】
また、この測定装置１では、制御部１６が、７セグメント表示方式の文字における各セグメントＳを「測定結果表示」を構成する文字の「表示要素」として、複数のセグメントＳのうちから測定処理の結果に対応するセグメントＳを特定可能な表示用データＤ１を生成し、生成した表示用データＤ１に対応する「測定結果表示」および「動作状態表示」を表示部１３に表示させると共に、生成した表示用データＤ１をスマートフォン２に出力する。また、このスマートフォン２では、制御部２６が、７セグメント表示方式の文字における各セグメントＳを「測定結果表示」を構成する文字の「表示要素」として、複数のセグメントＳのうちから測定処理の結果に対応するセグメントＳを特定可能な表示用データＤ１が測定装置１から出力されたときに、測定システム用プログラムＤｐに従い、表示用データＤ１によって特定されるセグメントＳを表示部２３に表示させる。また、この測定システム用プログラムＤｐでは、７セグメント表示方式の文字における各セグメントＳを「測定結果表示」を構成する文字の「表示要素」として、複数のセグメントＳのうちから測定処理の結果に対応するセグメントＳを特定可能な表示用データＤ１が測定装置１から出力されたときに、表示用データＤ１によって特定されるセグメントＳを表示部２３に表示させる処理を制御部２６に実行させる。
【００４９】
したがって、この測定装置１、スマートフォン２および測定システム用プログラムＤｐによれば、表示部１３に測定処理用画面３０ａ（「測定結果表示」および「動作状態表示」）を表示させるために生成した表示用データＤ１をそのまま利用してスマートフォン２に送信することでスマートフォン２の表示部２３（測定処理用画面３０ｂにおけるモニタ表示部３１）に「測定結果表示」および「動作状態表示」）を表示させることができる。このため、表示部１３に測定処理用画面３０ａを表示させるためのデータとは別個に、スマートフォン２の表示部２３に測定処理用画面３０ｂを表示させるためのデータを生成する構成と比較して、スマートフォン２の表示部２３に「測定結果表示」および「動作状態表示」を表示させる際に制御部１６に加わる負担を十分に軽減することができる。
【００５０】
なお、測定装置、携帯端末装置、測定システムおよび測定システム用プログラムの構成は、上記の例示に限定されない。例えば、ブルートゥース規格に準じた近距離無線通信を実行可能な無線通信部１４を有する測定装置１を備えた測定システム１００を例に挙げて説明したが、この構成に代えて、または、この構成に加えて、無線ＬＡＮに接続可能な無線通信部や、ＩｒＤＡ規格に準じた赤外線通信を実行可能な無線通信部（図示せず）を有する「測定装置」を備えて「測定システム」を構成することもできる。このような構成を採用した場合においても、上記の測定システム１００と同様の効果を奏することができる。また、無線通信部１４，２４間での無線通信によって制御データＤ０や表示用データＤ１を送受信させる使用方法を例に挙げて説明したが、上記の測定システム１００では、有線通信部１５，２５の間を信号ケーブルＣで接続した状態において、制御データＤ０や表示用データＤ１を有線通信で送受信させることもできる。さらに、測定装置１およびスマートフォン２間の通信手段としては、近距離無線通信や有線通信等に限定されず、公衆回線網やインターネット通信網等を利用した遠距離通信を利用することができる。
【００５１】
また、測定装置１の操作部１２を操作することによって測定条件等を設定する例を挙げて説明したが、スマートフォン２を操作して測定装置１を遠隔操作することもできる。さらに、測定結果を表示可能な表示部１３を備えた測定装置１を例に挙げて説明したが、「測定装置側表示部」が存在しない構成を採用することもできる。このような構成を採用した場合においても、測定装置１の動作状態を示す「動作状態表示」や測定結果を示す「測定結果表示」をスマートフォン２に表示させるための表示用データＤ１のデータサイズを十分に小さくすることができると共に、スマートフォン２において測定処理用画面３０ｂ（モニタ表示部３１）を表示する際の制御部２６の負担を十分に軽減することができる。また、クランプ式抵抗測定装置である測定装置１を備えた構成を例に挙げて説明したが、電流値や電圧値などの各種の電気的パラメータを測定可能な「測定装置」を備えて構成することができる。
【符号の説明】
【００５２】
１００  測定システム
１  測定装置
２  スマートフォン
１１  測定部
１２，２２  操作部
１３，２３  表示部
１４，２４  無線通信部
１５，２５  有線通信部
１６，２６  制御部
１７  メモリ
２１  本体メモリ
３０ａ，３０ｂ  測定処理用画面
３１  モニタ表示部
３２  操作スイッチ表示部
Ｃ  信号ケーブル
Ｄ０  制御データ
Ｄ１  表示用データ
Ｄｐ  測定システム用プログラム
Ｓ１ａ〜Ｓ１ｇ，Ｓ２ａ〜Ｓ２ｇ，Ｓ３ａ〜Ｓ３ｇ，Ｓ４ａ〜Ｓ４ｇ，Ｓ５ａ〜Ｓ５ｇ，Ｓ６ａ〜Ｓ６ｇ，Ｓｄｐ２〜Ｓｄｐ４，ＳＯＨＭ，ＳＡ，Ｓｍ，ＳＦＩＬＴ，ＳＨＯＬＤ，ＳＢ０〜ＳＢ３  セグメント
【図１】
0005988645.tif 000002
【図２】
0005988645.tif 000003
【図３】
0005988645.tif 000004
【図４】
0005988645.tif 000005
【図５】
0005988645.tif 000006
【図６】
0005988645.tif 000007
【図７】
0005988645.tif 000008
【図８】
0005988645.tif 000009
【図９】
0005988645.tif 000010